(57)【特許請求の範囲】
【請求項１】
糸付き遊技球を発射して不正を行う糸ゴトを防止するために球発射装置に組み込んだ糸ゴト対策機構であって、
球発射装置は、前記糸付き遊技球の発射時に糸が係止される係止部を有するとともに、この糸の係止により回転または移動されて後続球が送られる球入口を封鎖するレバーと、
このレバーの逆方向への回転または移動を規制するロック部材とを備えたことを特徴とする糸ゴト対策機構。
【請求項２】
前記係止部が溝部であることを特徴とする請求項１記載の糸ゴト対策機構。
【請求項３】
前記ロック部材の先端が前記溝部に係止されることにより、前記レバーの逆方向への回転が規制されることを特徴とする請求項２記載の糸ゴト対策機構。
【発明の詳細な説明】
【技術分野】
【０００１】
本発明は、糸が取付けられた遊技球を発射して行う不正行為である糸ゴトを防止するための糸ゴト対策機構に関するものである。
【背景技術】
【０００２】
遊技機においては、発射された遊技球が入賞口に入ることで賞球が払い出される。ここで、糸の一端に遊技球をくくり付けるとともに、他端を遊技者が握った状態で糸付き遊技球を発射し、この糸付き遊技球を操作して入賞口内に設けられた球センサに遊技球を検出させることで賞球を得る不正行為（いわゆる糸ゴト）が行われることがある。また、糸ゴトは入賞口内の球センサに遊技球を検出させるものに限られず、その他にも糸付き遊技球を所定の箇所に位置させることで、他の遊技球をワープゾーンへと誘導するもの等も存在する。
【０００３】
このような糸ゴトを防止するための対策としては様々な技術が開示されており、糸を切断するタイプ、糸ゴトを検出するタイプ、糸による操作を不可能とするタイプ等が挙げられる。しかしながら、糸を切断するタイプは確実性に欠け、また糸ゴトを検出するタイプや糸による操作を不可能とするタイプは、センサ等の部品点数が増えコストがかかるという問題点があった。
【０００４】
そこで、糸ゴトが行われた際には遊技球の発射を不可とする技術が開発され、その例としては、遊技球を発射する度に糸を巻き取るもの（特許文献１）や、球送り部材の動作を停止させるもの（特許文献２）等が開示されている。しかし、糸を巻き取るタイプのものは構造が複雑になる点が問題とされ、また球送り部材を停止させるタイプのものは球送り部材への負荷が大きい点が問題とされている。
【先行技術文献】
【特許文献】
【０００５】
【特許文献１】特開２０１２−２３９７４１号公報
【特許文献２】特開２０１２−１９６３８８号公報
【発明の概要】
【発明が解決しようとする課題】
【０００６】
本発明の目的は前記した従来の問題点を解決し、簡易な構造で確実に糸ゴトを防止することができる糸ゴト対策機構を提供することである。
【課題を解決するための手段】
【０００７】
上記課題を解決するためになされた本発明は、糸付き遊技球を発射して不正を行う糸ゴトを防止するために球発射装置に組み込んだ糸ゴト対策機構であって、球発射装置は、前記糸付き遊技球の発射時に糸が係止される係止部を有するとともに、この糸の係止により回転または移動されて後続球が送られる球入口を封鎖するレバーと、このレバーの逆方向への回転または移動を規制するロック部材とを備えたことを特徴とするものである。
【０００８】
請求項２記載の発明は、請求項１記載の糸ゴト対策機構において、前記係止部が溝部であることを特徴とするものである。
【０００９】
請求項３記載の発明は、請求項２記載の糸ゴト対策機構において、前記ロック部材の先端が前記溝部に係止されることにより、前記レバーの逆方向への回転が規制されることを特徴とするものである。
【発明の効果】
【００１０】
本発明に係る糸ゴト対策機構は球発射装置に組み込まれたもので、糸付き遊技球の発射時に糸が係止される係止部を有するとともに、この糸の係止により回転または移動されて後続球が送られる球入口を封鎖するレバーと、このレバーの逆方向への回転または移動を規制するロック部材とを備えるものとした。これにより、糸付き遊技球が発射された際には、糸が係止部に係止されてレバーを回転または移動させることで、レバーが球入口を封鎖し、この状態でロック部材によりレバーが逆方向に回転または移動することがないようロックされることで、次の遊技球を発射することができないものとなる。このように、レバーとロック部材との２部材構成とすることでその構造が簡易なものとなる。また糸の係止によってレバーを回転または移動させ、球入口を封鎖して後続球を発射できない構造とすることで、従来のような糸を切断する技術等と比較して、確実に糸ゴトを防止できるものとなる。
【図面の簡単な説明】
【００１１】
【図１】発射装置を示す全体図である。
【図２】発射装置の内部を示す図である。
【図３】球供給路を示す図である。
【図４】球送り部材を反時計回りに回転させた状態を示す図である。
【図５】球入口封鎖前を示す図である。
【図６】球入口封鎖後を示す図である。
【図７】糸が溝部に係止された状態を示す図である。
【発明を実施するための形態】
【００１２】
以下に本発明の好ましい実施形態を示す。
図１は、遊技機に内に設けられ、遊技球を遊技領域へと発射するための球発射装置１を示すものであり、その内部の機構については、図２乃至図６を用いて説明する。
図２のように、ベース部２には遊技球を打ち出すための弾球槌３が回転軸４を中心として回転可能に取り付けられている。なお図３のように、発射装置１内には、遊技球を下方へと移動させるために、遊技球一球分が通過可能に形成された球供給路５が設けられており、この球供給路５を通過した後に、遊技球は球送り部材６に形成された略コ字状の球載置部７へと送られる。次に、図４のように球送り部材６を反時計回りに回転させることで、図２中の球入口８から遊技球が送られ、発射レール９上に載置されることとなる。なお、球送り部材６は再び時計回りに回転されて図２の状態に戻る。この状態で遊技球を弾球槌３により打ち出すこととなるが、このような発射装置１の構成は従来から用いられているものと同様である。
【００１３】
ここで、糸の一端に遊技球をくくり付け、他端を遊技者が握った状態で糸付き遊技球を発射し、この糸付き遊技球を操作することで不正行為を行う糸ゴトが実行されることがある。また、このような糸付き遊技球を弾球槌３により打ち出した場合には、遊技球が斜め上方に打ち出されることや、遊技者が発射装置１よりも上方で糸の他端を握っていること等が影響し、糸は図２中に破線矢印で示すようなルートを通過する。
【００１４】
図５に示すように、ベース部２には、回転軸１１を中心として回転可能としたレバー１０が取付けられている。なお、このレバー１０の回転軸１１の周囲には、糸付き遊技球を発射した際に糸が係止される係止部として、複数の溝部１２が等間隔を持って形成されている。また、この溝部１２に糸が係止されることでレバー１０は図６のように時計回りに回転される。さらにレバー１０は、回転後の図６の状態で、後続球が送られる球入口８をその先端が封鎖する形状を有している。なお、図５のようにレバー１０の先端はベース部材２に形成された壁部２０ａと当接しているため、レバー１０は図５の状態からさらに反時計回りに回転することはない。本実施形態では、係止部としてレバー１０に溝部１２を形成するものとしたが、その他に糸が係止される突起等であっても差し支えない。さらに、レバー１０は糸の係止により回転されるものとしたが、その他にも糸の係止によりスライド移動等されるものであっても良く、即ち糸の係止により回転や移動等がなされて後続球が送られる球入口を封鎖する構造であれば足りる。
【００１５】
図５に示すように、ベース部材２には、ロック部材３０が回転軸３１を中心として回転可能に取付けられている。なお、このロック部材の先端は図５の状態でレバー１０と当接している。また、ロック部材３０はベース部２に形成された壁部２０ｂと当接しており、これにより図５の状態からさらに時計回りに回転することはない。なお、このロック部材３０は、バネ等により回転軸３１を中心として時計回りに付勢されているが、前記レバー１０の回転を妨げない程度に付勢されているものである。さらにロック部材３０は、レバー１０がロック部材３０を乗り越えて図６のように回転した後には、その先端が溝部１２に入り込むことで、レバー１０の逆方向への回転を規制する。
【００１６】
以上の構成により、糸付き遊技球が発射された際には、この糸が図７に示すように溝部１２に係止されることとなり、ロック部材３０を下方に押し込みつつレバー１０が時計回りに回転される。その後、レバー１０がロック部材３０を乗り越えて、図６に示す状態となり、レバー１０の先端が球入口８を封鎖することとなる。この状態では、ロック部材３０の先端が溝部１２に入り込んでおり、かつロック部材３０は壁部２０ｂに当接しているため、レバー１０は逆回転することがないようロックされることとなる。したがって、この状態では球入口８が封鎖されていることから、次の遊技球を発射することができない。このように、レバー１０とロック部材３０との２部材構成とすることでその構造が簡易なものとなり、また糸の係止によってレバー１０を回転させ、球入口８を封鎖して後続球を発射できない構造とすることで、従来のような糸を切断する技術等と比較して、確実に糸ゴトを防止できるものとなる。
【００１７】
なお、レバー１０に形成された溝部１２には、糸を刈り取るための刃４０が設けられており、これによってレバー１０の回転時に糸を切断するものとしても差し支えない。このような構成とすれば、後続球を発射できないものとしつつ、さらに糸を刈り取るものとして、より確実に糸ゴトを防止することができる。
【符号の説明】
【００１８】
１  球発射装置
２  ベース部
３  弾球槌
４  回転軸
５  球供給路
６  球送り部材
７  球載置部
８  球入口
９  発射レール
１０  レバー
１１  回転軸
１２  溝部
２０  壁部
３０  ロック部材
３１  回転軸
４０  刃
【図１】
0006727520.tif 000002
【図２】
0006727520.tif 000003
【図３】
0006727520.tif 000004
【図４】
0006727520.tif 000005
【図５】
0006727520.tif 000006
【図６】
0006727520.tif 000007
【図７】
0006727520.tif 000008